(57)【要約】      （修正有）【課題】接続部が異なる径や形であっても対応でき、簡易な構造と少数部品にて確実な動力伝達ができる接続装置を提供する。【解決手段】駆動軸から受動軸６へ動力を伝達する接続装置に関し、接続部２の軸径や噛み合い形状の異なる接続部２に対応する分割されたテーパー部材３において、内面は端部に爪４を有し、軸方向に平行の縦溝１３を有した複数のテーパー部材３の爪４を接続部２の先端に掛けながら順序よく取り巻くように配し、テーパー部材３の外面に形成されたネジ１１に、相対したソケット５のネジ１０をねじ込み、駆動軸の接続部２を固定する。駆動軸の接続部２に固定されたソケット５の外周のオス部１２に相対した形状を有する受動軸６に挿入される事で、少数部品で簡易な構造の接続装置が提供できる。【選択図】図１
2011169432.tif 000002
【特許請求の範囲】
【請求項１】
作業機の駆動軸と受動軸を接続する接続具において、外面が軸方向にテーパー状を成したテーパー部材が、その外面に外ネジを設け、その外ネジが前記テーパー部材を複数本集合したときにそれらのネジ条が一本のネジを形成するようにネジを切り、さらに前記テーパー部材の内面、軸方向に角部を有する縦溝を配し、テーパー部材の端部には内方向に突出する爪を設けてあり、前記テーパー部材のネジに相応するテーパー形状とピッチの内ネジを有するソケットを、一組として構成した事を特徴とする動力伝達用接続具。
【請求項２】
請求項１のソケットにおいて、受動軸の接続部に嵌合する形状としたオス部を設けたこと特徴とする動力伝達用接続具。
【発明の詳細な説明】
【技術分野】
【０００１】
本発明は草刈り機等のエンジン付き作業機において駆動部と受動部の動力の伝達を行なうための接続装置に関するものである。
【背景技術】
【０００２】
コンクリート舗装工事に用いる振動機等は駆動系のトラブルにより作業中断を余儀なくされることが多い。さらに、現場で修理対応や予備機の準備はコスト関係上困難なことが多い。一方、作業関係者には同様の駆動系を持つ草刈り機等を所有している場合が多く、それら駆動軸は軸部形状が異なることが実情である。従って、このような異形種の駆動軸を利用できることが望まれていた。
これまでに、特許文献１または特許文献２に示されるように、このような作業機において同形の駆動軸を確実に交換、固定する技術はあるが、異形のものを交換、固定するものは知られていない。
【０００３】
特許文献１は受動軸と駆動軸の接続部が相対した形状に限られるため、異なる形状の駆動軸は受け付けない、また受動軸のテーパーねじを設けた先端外周部分は筒形状を持ち、ナットによる締め付けは筒形状の先端外周を加圧し駆動軸を固定させる構造が施されているが、金属のたわみを利用してるため金属疲労の危険性がある。
【０００４】
特許文献２は回転軸の形状が平行軸径の回転軸や円錐形回転軸の、いずれの実施例においても一定の軸径や形状が必要とされ、切り欠き部を有するテーパーネジ部は、締め込み固定動作を繰り返す事で切り欠き部に金属疲労などの発生する可能性がある。
【先行技術文献】
【特許文献】
【０００５】
【特許文献１】特開  ２００３−６５３４９
【特許文献２】実開  昭６３−５７８２０
【発明の概要】
【発明が解決しようとする課題】
【０００６】
本発明は作業機器への駆動力の動力伝達構造において、一定の接続部に対して対応した接続具を介して作業動力の伝達を行ってきたが、駆動力に支障が生じた場合正常機を持って交換機とする場合、一定の接続部を持つ同メーカー機種の交換を必要とされ、即応出来ないなどの問題が発生していた。
駆動軸の接続部が、異なる径や形にも対応して、簡易な構造と小数部品にて確実な動力伝達にも対応できる接続装置を提供することを目的とした。
【課題を解決するための手段】
【０００７】
本発明は、作業機の駆動軸と受動軸を接続する接続具において、異形、異なるサイズの駆動軸に対応可能なように、ネジを切ったテーパー状をなした間挿部材についてのものであり(以後、テーパー部材という。)、外面が軸方向にテーパー状であって、それを同形状の部材を複数本集合したときにそれらのネジ条が一本のネジを形成するようにネジを切り、さらにその内面には駆動軸の芯出しを確実にするための軸方向に角部を有する縦溝を形成させて、テーパー部材の端部には内方向に駆動軸とテーパー部材の配置順とねじの最初の位置決めのための突出する爪を設けたテーパー部材と、テーパー部材外面のネジに相応するテーパー形状とピッチを持つ内ネジを有するソケットを、一組として構成した動力伝達用接続具を用いることにより通常、現場作業として入手可能な作業器具の動力源を適宜利用できるものとしている。
ここで、テーパー部材は、駆動軸と当接する面（内面)は駆動軸に平行であり、テーパー部材の外面(内面の反対側の面)と両側面は先端方向に向かってテーパー状を成し、外面にのみネジを切ったものである。なお、テーパーの基部には、当該動力伝達用接続具の取り外しが容易氏となるよう平坦部を設けることも出来る。このテーパー部材は、芯出しを確実にするため一対若しくはそれ以上同形のものをほぼ駆動軸の重心が均一になるように駆動軸の周囲に配置して用いる。これらテーパー部材を駆動軸に配置後、ソケットを用いて締め付け、テーパー形状に配されたネジの作用により、より確実な芯出しを可能としている。
ソケット部は、異形の駆動軸と同駆動軸の周囲に配した複数のテーパー部材をあわせて受入可能なようなソケット内径とテーパー形状並びにねじのピッチを有したものである。これはさらに、受動軸のソケットに嵌合するような外形のオス部を有することにより利用可能な作業機の範囲を広げることができる。
同じ形状の複数のテーパー部材は、駆動軸とテーパー部材の初期位置を決定するための突起を設け、分割された複数本を順序良く集合させ、その後ねじ込んだときに外面が一条のテーパーネジ状を形成するようになり確実に駆動軸と受動軸が一体として作用するようにしたものである。
【発明の効果】
【０００８】
作業中の作業機の動力トラブル等により作業が中断した場合に、他の機種や異なる作業機械の駆動部など形や径の異なる駆動軸と受動軸を簡易な構造の接続部品で迅速、且つ確実に接続することが可能となり、交換作業時間の短縮、代替機が不要となるなど作業の効率化が図れる。
【図面の簡単な説明】
【０００９】
【図１】部品構成図
【図２】軸方向断面図
【図３】駆動軸接続部の８角例のＡ−Ａ断面図
【図４】駆動軸接続部の７角例のＡ−Ａ断面図
【図５】駆動軸接続部の４角例のＡ−Ａ断面図
【発明を実施するための形態】
【００１０】
本発明は、コンクリート振動均し機や草刈機などの作業機は駆動軸と受動軸を単に差し込み接続としており、それぞれの機具の軸形状は作業機の種類、機種によりスプライン状、四角形、さらに異なるサイズとなっている。そのため駆動部を他の作業機に流用することは不可能であった。
そこで、本発明では、種々の駆動軸形状に対応可能なように、簡易な構造の接続具を設けて駆動部のトラブル時などにより緊急に代替機が必要になったとき、他の作業機の駆動部を容易に且つ迅速に交換使用可能としている。この動力伝達用接続具は、交換する駆動部の駆動軸の径が交換の対象とする作業機の受動軸ソケットより小さい場合に利用できる。
当該接続具は、駆動軸よりやや太目のテーパー状をなした棒体の外面に一条のネジを切り、それを軸方向に均等に切断分割するなどして作製することが出来る。このテーパー部材は、駆動軸と当接する面（内面)は駆動軸に平行であり、テーパー部材の外面(内面の反対側の面)と両側面は先端方向に向かってテーパー状を成し、外面にのみネジを切ったものである。このテーパー部材に、その内面には駆動軸の芯出しを確実にするための軸方向に角部を有する縦溝を形成させて、テーパー部材の端部には内方向に駆動軸とテーパー部材の配置順とねじの最初の位置決めのための突出する爪を設けている。同じ形状の複数のテーパー部材は、駆動軸とテーパー部材の初期位置を決定するための突起を設け、分割された複数本を順序良く集合させ、その後ねじ込んだときに外面が一条のテーパーネジ状を形成するようになり確実に駆動軸と受動軸が一体として作用するようにしたものである。これは、同形のものをほぼ駆動軸の重心が均一になるように駆動軸の周囲に配置することにより、ソケットを用いて締め付け、テーパー形状に配されたネジの作用でより確実な芯出しを可能とするものである。
配置順を示すために数字や位置関係を表す記号を各テーパー部材に刻印したり、それらを順序良く留め金等で止めておくとよい。
対となるソケット部は、テーパー部材外面のネジに相応するテーパー形状とピッチを持つ内ネジを有し、さらに、受動軸のソケットに嵌合するような外形のオス部を適宜有している。
なお、テーパーの基部には、当該動力伝達用接続具の取り外しが容易となるよう平坦部を設けることも出来る。このテーパー部材は、芯出しを確実にするため一対若しくはそれ以上同形のものをほぼ駆動軸の重心が均一になるように駆動軸の周囲に配置して用いる。これらテーパー部材を駆動軸に配置後、ソケットを用いて締め付け、テーパー形状に配されたネジの作用により、より確実な芯出しを可能としている。
【実施例】
【００１１】
図１の部品構成図に示すように、草刈機駆動部の駆動軸２の先端外周にテーパー部材３を縦位置に四本に均等にピッチが一条のネジを形成するように順序良く、駆動軸端が同テーパー部材の爪に接するように配置した。これら一組としてソケット５にねじ込み、さらにコンクリート振動均し機の受動軸のソケットに当該ソケットオス部１２を挿入した。
【００１２】
以上により、当該接続具により駆動軸１の動力を受動軸に伝達を行うことが可能となり、コンクリート振動均し機として機能させることが出来た。
【００１３】
図３、４、５において接続部２の軸径や形状の違いに対応するテーパー部材３の、駆動軸芯に向かい相対した配置の一例を示したが、このような形状でも確実に動力を伝達可能となり、交換作業等に要する時間も１０分以内と迅速に行なうことができた。
【００１４】
当該接続具の取り外しにおいては、テーパー部材３の切り欠き部を利用しここに動力伝達用接続具の取り外しが容易となるよう平坦部を設けた結果、当該接続具が作業により強固に増し締めされ場合でも、スパナ等の工具を用いることにより確実安全に取り外すことが出来た。
【符号の説明】
【００１５】
１・・・駆動軸
２・・・接続部
３・・・テーパー部材
４・・・爪
５・・・ソケット
６・・・受動軸
１０・・・内ネジ
１１・・・外オネジ
１２・・・オス部
１３・・・縦溝
【図１】
2011169432.tif 000003
【図２】
2011169432.tif 000004
【図３】
2011169432.tif 000005
【図４】
2011169432.tif 000006
【図５】
2011169432.tif 000007